(57)【特許請求の範囲】
【請求項１】
プレキャストコンクリート床板と、
上記プレキャストコンクリート床板の下面側と梁のフランジの上面側との間に設けられた梁上緩衝材と、
上記プレキャストコンクリート床板の下面に埋め込まれている一方の締結具に対する他方の締結具の締め付けによって上記フランジの下面側に押圧されることで上記梁上緩衝材を圧縮させつつ上記プレキャストコンクリート床板を上記梁に固定する固定具と、
上記プレキャストコンクリート床板の上面側に設けられた防音マットと、
を備えており、上記梁のフランジには上記他方の締結具が装着されるための貫通孔は形成されていないことを特徴とする遮音床構造。
【請求項２】
請求項１に記載の遮音床構造において、上記防音マットの上面側に設けられたベース板と、上記ベース板の上面側に設けられた床下地板と、上記床下地板を上記ベース板に固定する螺子または釘と、を備えたことを特徴とする遮音床構造。
【請求項３】
請求項１または請求項２に記載の遮音床構造において、上記防音マットは上記プレキャストコンクリート床板上に非接着状態で置かれることを特徴とする遮音床構造。
【請求項４】
請求項１〜請求項３のいずれか１項に記載の遮音床構造において、上記梁上緩衝材は各プレキャストコンクリート床板の縁部の下に不連続で設けられることを特徴とする遮音床構造。
【請求項５】
請求項４に記載の遮音床構造において、上記梁上緩衝材は上記縁部の両端に位置しないように複数個ずつ上記梁のフランジの長手方向に等間隔で配置されることを特徴とする遮音床構造。
【請求項６】
請求項１〜請求項５のいずれか１項に記載の遮音床構造において、上記固定具は上記プレキャストコンクリート床板の下面に対面する上段面と上記フランジの下面に対面する下段面とを有し、これら上段面と下段面とが互いに非平行に形成されていることを特徴とする遮音床構造。
【発明の詳細な説明】
【技術分野】
【０００１】
この発明は、遮音性能に優れた建物の遮音床構造に関する。
【背景技術】
【０００２】
特許文献１には、歩行感を低下させることなく、軽量衝撃音及び重量衝撃音に対する遮音性能を向上するとともに、任意の位置で仕上げ材を釘打ち固定可能とする床用遮音材及びそれを用いた遮音床構造が開示されている。この遮音床構造では、コンクリートスラブ上に合成樹脂発泡板や床張り材などが配置される。また、従来より、鉄骨造の建物では、床部材として軽量気泡コンクリート床板（ＡＬＣ床板）を用いた構造が知られている。
【先行技術文献】
【特許文献】
【０００３】
【特許文献１】特開平９−９６０９４号公報
【発明の開示】
【発明が解決しようとする課題】
【０００４】
しかしながら、上記特許文献１の遮音床構造のように、上記コンクリートスラブ床の場合には、床厚みとして一般に２００ｍｍ程度の厚みが必要になる。また、上記軽量気泡コンクリート床板を用いる遮音床構造では、例えば厚さが１００ｍｍの軽量気泡コンクリート床板が用いられるが、この軽量気泡コンクリート床板では重量による高い遮音性能は望めない。
【０００５】
この発明は、上記の事情に鑑み、床部材としてプレキャストコンクリート床板を用いることでその厚みを薄くしつつも高い遮音性能を得ることができ且つ作業性や強度上の悪影響を生じない遮音床構造を提供することを課題とする。
【課題を解決するための手段】
【０００６】
この発明の遮音床構造は、上記の課題を解決するために、プレキャストコンクリート床板と、上記プレキャストコンクリート床板の下面側と梁のフランジの上面側との間に設けられた梁上緩衝材と、上記プレキャストコンクリート床板の下面に埋め込まれている一方の締結具に対する他方の締結具の締め付けによって上記フランジの下面側に押圧されることで上記梁上緩衝材を圧縮させつつ上記プレキャストコンクリート床板を上記梁に固定する固定具と、上記プレキャストコンクリート床板の上面側に設けられた防音マットと、上記防音マットの上面側に設けられたベース板と、上記ベース板の上面側に設けられた床下地板と、上記床下地板を上記ベース板に固定する螺子または釘と、を備えたことを特徴とする。
【０００７】
上記の構成であれば、床部材となるプレキャストコンクリート床板は軽量気泡コンクリート床板に比べて重量があり遮音性能に優れているため、軽量気泡コンクリート床板よりも薄くすることが可能であり、さらに、このように薄くできると、上記梁上緩衝材、上記防音マット、上記ベース板を設けて一層の遮音性向上を図っても上記梁の上端面からの高さをあまり増大させずに済ますことが可能である。また、上記一方の締結具はプレキャストコンクリート床板に埋め込まれているので、固定具取り付けの貫通穴を床板に形成する必要がなく、このように貫通穴が形成されないことによっても遮音性能が向上する。また、上記螺子または釘は、上記床下地板を上記ベース板に固定する際に、上記プレキャストコンクリート床板に入り込む必要はないため、上記プレキャストコンクリート床板に対する下穴形成による作業性低下や強度上の悪影響は生じず、上記プレキャストコンクリート床板を薄くしても上記螺子または釘による問題は何ら生じない。すなわち、床部材としてプレキャストコンクリート床板を用いることでその厚みを薄くしつつも高い遮音性能を得ることができ且つ作業性や強度上の悪影響を生じない遮音床構造を実現できる。
【０００８】
上記防音マットは上記プレキャストコンクリート床板上に非接着状態で置かれていてもよく、これによれば、上記防音マットの上下動が許容されてクッション性が良好になるので遮音性能がより向上する。
【０００９】
上記梁上緩衝材は各プレキャストコンクリート床板の縁部の下に不連続で設けられていてもよく、これによれば、上記梁上緩衝材が連続して設けられる構造に比べて振動伝達の面積が小さくなり、遮音性能がより向上する。
【００１０】
上記梁上緩衝材は上記縁部の両端に位置しないように複数個ずつ等間隔で配置されていてもよく、これによれば、各プレキャストコンクリート床板の経年の反りも防止することができる。
【００１１】
上記固定具は、上記プレキャストコンクリート床板の下面に対面する上段面と上記フランジの下面に対面する下段面とを有し、これら上段面と下段面とが互いに非平行に形成されていてもよく、これによれば、上記フランジの厚みが多少異なる場合でも上記プレキャストコンクリート床板を上記梁にしっかりと固定することができる。また、上記プレキャストコンクリート床板の固定状態において、上記固定具の上記下段面と上段面とを繋ぐ立ち上げ部が上記フランジの縁面から遠ざかるように位置できるため、上記固定具と上記フランジの縁面との接触を生じ難くすることができる。これにより、衝撃音が上記固定具から上記フランジの縁面に伝達されるのを防止して遮音性能をより向上することができる。
【発明の効果】
【００１２】
本発明であれば、床部材としてプレキャストコンクリート床板を用いることでその厚みを薄くしつつも高い遮音性能を得ることができ且つ作業性や強度上の悪影響を生じない等の諸効果を奏する。
【図面の簡単な説明】
【００１３】
【図１】本発明の一実施形態に係る遮音床構造が利用された建物階間構造部を示した説明図である。
【図２】図１の建物階間構造部におけるＰＣ床板の配置態様を示した斜視図である。
【図３】図１の建物階間構造部におけるＰＣ床板の固定金具を拡大して示した斜視図である。
【図４】図３の固定金具を用いたＰＣ床板の固定構造を示した断面図である。
【図５】図１の建物階間構造部の一部を拡大した説明図である。
【発明を実施するための最良の形態】
【００１４】
次に、この発明の実施形態に係る遮音床構造を添付図面に基づいて具体的に説明する。なお、本発明に係る遮音床構造は、下記の実施形態に示したものに限定されず、その要旨を変更しない範囲において適宜変更して実施できるものである。
【００１５】
図１はこの発明の実施形態に係る遮音床構造が利用された軽量鉄骨造りの建物階間構造部を示した説明図である。また、図２は上記建物階間構造部におけるＰＣ（Precast Concrete：プレキャストコンクリート）床板１の配置の一態様を示した斜視図である。
【００１６】
上記ＰＣ床板１は、例えばＨ形鋼からなる梁２のフランジ上に梁上緩衝材３を介在させて配置されており、固定金具４によって上記梁２に固定される。上記ＰＣ床板１の長辺の長さは例えば１８２０ｍｍであり、短辺の長さは９１０ｍｍとされる。また、上記ＰＣ床板１の厚みは例えば９０ｍｍとされる。
【００１７】
上記梁上緩衝材３は、弾性或いは粘弾性を有する素材を六面体形状に加工したものであり、各ＰＣ床板１の各短辺側において２個ずつ均等に配置されるように４５５ｍｍ間隔で上記梁２のフランジ上に設けられている。
【００１８】
図３に示しているように、上記固定金具４は、金属板を曲げ加工することにより階段形状に形成されたものであり、下段面４ａは上記梁２のフランジの下面側に位置し、上段面４ｂは上記ＰＣ床板１の下面側に位置する。また、上記上段面４ｂには貫通長穴４ｃが形成されている。また、上記固定金具４の上記下段面４ａに対して上段面４ｂは非平行に形成されており、上記梁２のフランジの厚みが多少異なる場合でも上記ＰＣ床板１を上記梁２に固定できるようになっている。
【００１９】
図４に示しているように、上記ＰＣ床板１の固定において、ボルト５は、上記貫通長穴４ｃに下側から挿通され、上記ＰＣ床板１の下面側に設けられているインサートナット１ａにねじ込まれる。上記ボルト５を締めていくと、上記固定金具４が上記梁２のフランジの下面側に押圧され、上記ＰＣ床板１を上記梁２に固定する。上記ボルト５の締め付けにより、例えば元々の厚さが２０ｍｍであった上記梁上緩衝材３は１６ｍｍの厚さに圧縮される。上記梁上緩衝材３が圧縮状態で介在していることにより、上記ＰＣ床板１が上記梁２に緊結されるのではなく、バネを縮装したような緩い固定が上記ＰＣ床板１と上記梁２との間で実現されることになる。建物の躯体強度をブレース等によって高めておくことにより、上記のような緩い固定でも何の問題も生じない。なお、ボルトを上記ＰＣ床板１に埋め込み、この埋め込みボルトにナットを締め込むようにすることもできる。
【００２０】
また、上記固定金具４の上記下段面４ａと上記梁２のフランジの下面との間にはゴム板６が設けられており、上記上段面４ｂと上記ＰＣ床板１の下面との間にはゴムワッシャ７が設けられている。
【００２１】
図５に示しているように、上記ＰＣ床板１上には、例えば厚さが８ｍｍのゴムなどからなる防音マット１１が接着剤を介在させないで敷かれている。上記防音マット１１の上面には螺子や釘の留めが効く例えば厚さが０．８ｍｍの鋼板（ベース板）１２が接着によって上記防音マット１１に一体化されている。上記鋼板１２上には例えば厚さが１５ｍｍのパーティクルボード（床下地材）１３が設けられており、さらにこのパーティクルボード１３上には厚さが例えば１２ｍｍの床仕上げ板１４が設けられている。なお、上記鋼板１２上にさらに防音マットを配置するようにしてもよい。
【００２２】
上記パーティクルボード１３は、螺子１５によって上記鋼板１２に留め付けられている。上記螺子１５は上記ＰＣ床板１内に入り込んではおらず、上記ＰＣ床板１には螺子下穴は形成されていない。なお、螺子１５に代えて釘を用いることもできる。
【００２３】
上記建物階間構造部の天井側には、図１に示したように、天井下地パネル８が設けられている。天井下地パネル８は、外枠８ａや補強部材などからなる。また、天井下地パネル８上にはロックウール９が置かれている。
【００２４】
上記ＰＣ床板１は軽量気泡コンクリート床板に比べて重量があり遮音性能に優れているため、軽量気泡コンクリート床板よりも薄くすることが可能であり、さらに、このように薄くできると、上記梁上緩衝材３の厚みを厚くしたり、上記防音マット１１、上記鋼板１２などを設けて一層の遮音性向上を図っても上記梁２の上端面からの高さをあまり増大させずに済ますことが可能である。また、上記螺子１５は、上記パーティクルボード１３を上記鋼板１２に固定する際に、上記ＰＣ床板１に入り込む必要はないため、上記ＰＣ床板１に対する下穴形成による作業性低下や強度上の悪影響は生じず、上記ＰＣ床板１を薄くしても上記螺子１５による問題は何ら生じない。すなわち、床部材としてＰＣ床板１を用いることによって床部材の厚みを薄くしつつも高い遮音性能を得ることができ且つ作業性や強度上の悪影響を生じないようにできる。
【００２５】
また、この実施形態では、上記梁上緩衝材３は、各ＰＣ床板１の各短辺側において不連続で配置される。このように、上記梁上緩衝材３は、各ＰＣ床板１の各短辺側の全体に連続配置されるものではないので、振動伝達の面積を小さくでき、衝撃音が上記ＰＣ床板１から上記梁２へ伝達されにくくなり、遮音性能がより向上する。また、上記２個の梁上緩衝材３を各短辺の両端に配置した場合には上記梁上緩衝材３の支持点間隔が長くなり、上記梁上緩衝材３に反りが生じるおそれがあるが、このような両端配置とならないように上記梁上緩衝材３を配置しているので、上記反りが生じるおそれはない。
【００２６】
なお、上記の例では、梁上緩衝材３は各ＰＣ床板１の各短辺側において２個ずつ均等に配置されるように４５５ｍｍ間隔で上記梁２のフランジ上に設けられていたが、上記ＰＣ床板１の短辺の長さが９１０ｍｍよりも長い場合において例えば上記４５５ｍｍ間隔を維持するなら、上記梁上緩衝材３は各ＰＣ床板１の各短辺側において２個よりも多い数で均等に配置されることになる。また、上記ＰＣ床板１の短辺の長さが例えば９１０ｍｍである場合において、上記梁上緩衝材３の各ＰＣ床板１に対する配置個数を３個以上としてもよいが、上記２個とする場合に比べて割高になる。
【００２７】
また、上記固定金具４を用いた場合、上記ＰＣ床板１の固定において、上記固定金具４の上記下段面４ａと上段面４ｂを繋ぐ立ち上げ部が上記梁２のフランジの縁面から遠ざかるように位置できるため、上記固定金具４と上記梁２のフランジの縁面との接触を生じ難くすることができ、衝撃音が上記固定金具４から上記梁２のフランジの縁面に伝達されるのを防止することができる。
【００２８】
また、上記ＰＣ床板１上には、防音マット１１が接着剤を介在させないで敷かれているので、上記防音マット１１が上下動作することが許容される。このように、上記防音マット１１の上下動作が許容されるとクッション性が良好になり遮音性能が向上することになる。もちろん、上記防音マット１１の上下動作が許容される構造は一実施形態にかかる構造であり、上記ＰＣ床板１上に防音マット１１を接着剤により固定する実施形態を採用することもできる。
【符号の説明】
【００２９】
１      ＰＣ床板（プレキャストコンクリート床板）
２      梁
３      梁上緩衝材
４      固定金具（固定具）
４ａ    下段面
４ｂ    上段面
５      ボルト
１１    防音マット
１２    鋼板（ベース板）
１３    パーティクルボード（床下地材）
１４    床仕上げ板
【図１】
0006001899.tif 000002
【図２】
0006001899.tif 000003
【図３】
0006001899.tif 000004
【図４】
0006001899.tif 000005
【図５】
0006001899.tif 000006